(57)【要約】【課題】購入した物品を遺失した場合、遺失者の届出が必要で、遺失物が転売されているときは、元の購入者に連絡されてしまう課題が有った。【解決手段】販売情報端末から販売した物品に付されたタグに記録された物品ＩＤ及び最新の購入者のメールアドレス等を遺失物管理サーバに記録し、その物品を遺失した場合、遺失物（販売物品）のタグの物品ＩＤに基づき遺失物管理サーバにより検索し、遺失者（購入者）のメールアドレスの遺失者情報端末に連絡するオンラインによる遺失物品検索及び連絡システム。【選択図】  図１
2006154977.tif 000002
【特許請求の範囲】
【請求項１】
遺失物管理サーバと、販売情報端末と、遺失者情報端末とがインターネットを介して結ばれたオンライン情報サービスシステムにおいて、
前記遺失物情報管理サーバは、物品に付されたタグに記録された前記物品を特定する物品ＩＤ及び前記物品の購入者の電子メールアドレスを有する物品情報を記録する物品情報管理記憶部、前記タグに記録されている物品ＩＤを読取るタグ読取部及びメモリー部を備え、
前記販売情報端末は、前記物品ＩＤ及び前記電子メールアドレスを有する販売管理情報を記録する販売管理情報記憶部を備え、
前記遺失者情報端末は、前記電子メールアドレス即ち、前記物品の遺失者の電子メールアドレスを有し、
前記物品の販売の際、前記販売情報端末から前記販売管理情報を遺失物管理サーバに前記販売管理情報を送信し、前記物品情報管理記憶部に記録し、この場合において既に前記物品ＩＤが前記物品情報管理記憶部に記録されているときは前記物品の最新の購入者の電子メールアドレスに更新し、前記物品を遺失し前記タグ読取部により前記物品ＩＤを読取った場合、前記物品ＩＤをキーに前記物品情報管理記憶部から検索した前記遺失者の電子メールアドレスの前記遺失者情報端末に通知し、前記遺失者情報端末から前記物品の返却を含んだ処理を遺失物管理サーバに連絡することを特徴とする遺失物検索及び連絡システム。
【請求項２】
請求項１記載の遺失物検索及び連絡システムにおいて、前記物品情報は、購入日、販売店舗、物品名称、概観構造、販売価格、購入店舗及び購入者氏名を含み、前記販売管理情報は、購入者氏名、物品名称、購入店舗及び購入日を含むことを特徴とする遺失物検索及び連絡システム。
【請求項３】
請求項１又は２記載の遺失物検索及び連絡システムにおいて、前記物品情報管理記憶部は、遺失者が前記遺失管理サーバにアクセスするためのＵＲＬの記録を含むことを特徴とする遺失物検索及び連絡システム。
【発明の詳細な説明】
【技術分野】
【０００１】
本発明は、落し物、忘れ物等の遺失物の所有者等（遺失者）である購入者の特定およびその購入者への遺失物拾得の連絡のシステムに関し、特に遺失物に付されたタグに記録された個体識別情報に基づき検索することにより、その購入者（遺失者）を特定し、その遺失者に連絡するオンライン情報システムに関する。
【背景技術】
【０００２】
従来、タグ等のシールを利用して遺失物を検索して遺失者に連絡するシステムとして、特開２００４−２７２８８６に示されるシステムが知られている。このシステムによれば、遺失者と拾得者をシステムの情報上でつなぎ合わせることにより、遺失物と拾得物の断絶を解消し、遺失物が遺失者に戻り易い仕組みを構築しているが、物品の購入者がリサイクルショップなどで前記物品を転売した場合、遺失者は元の購入者のままであり該システムからの連絡が相変わらず元の購入者にされ続けてしまうという課題があった。
【０００３】
【特許文献１】特開２００４−２７２８８６
【発明の開示】
【発明が解決しようとする課題】
【０００４】
本発明の目的は、遺失物に付されているシール等のタグから個体識別情報を取得することで、購入者の遺失の届出がない場合に第三者による遺失物の拾得を遺失者（購入者）に通知できない課題を解決すると同時に、特定できた遺失者に連絡し、また、初回購入者から第三者に物品が譲渡された場合にも最新の所有者（遺失者）を特定し、連絡することができるシステムを提供することにある。
【課題を解決するための手段】
【０００５】
上記課題を解決するために、本願の請求項１記載の発明は、遺失物管理サーバと、販売情報端末と、遺失者情報端末とがインターネットを介して結ばれたオンライン情報サービスシステムにおいて,前記遺失物情報管理サーバは、物品に付されたタグに記録された前記物品を特定する物品ＩＤ及び前記物品の購入者の電子メールアドレスを有する物品情報を記録する物品情報管理記憶部、前記タグに記録されている物品ＩＤを読取るタグ読取部及びメモリー部を備え、前記販売情報端末は、前記物品ＩＤ及び前記電子メールアドレスを有する販売管理情報を記録する販売管理情報記憶部を備え、前記遺失者情報端末は、前記電子メールアドレス即ち、前記物品の遺失者の電子メールアドレスを有し、前記物品の販売の際、前記販売情報端末から前記販売管理情報を遺失物管理サーバに前記販売管理情報を送信し、前記物品情報管理記憶部に記録し、この場合において既に前記物品ＩＤが前記物品情報管理記憶部に記録されているときは前記物品の最新の購入者の電子メールアドレスに更新し、前記物品を遺失し前記タグ読取部により前記物品ＩＤを読取った場合、前記物品ＩＤをキーに前記物品情報管理記憶部から検索した前記遺失者の電子メールアドレスの前記遺失者情報端末に通知し、前記遺失者情報端末から前記物品の返却を含んだ処理を遺失物管理サーバに連絡することを特徴とする。
【０００６】
また、上記課題を解決するために、本願の請求項２記載の発明は、請求項１記載の遺失物検索及び連絡システムにおいて、前記物品情報は、購入日、販売店舗、物品名称、概観構造、販売価格、購入店舗及び購入者氏名を含み、前記販売管理情報は、購入者氏名、物品名称、購入店舗及び購入日を含むことを特徴とする。
【０００７】
また、上記課題を解決するために、本願の請求項３記載の発明は、請求項１又は２記載の遺失物検索及び連絡システムにおいて、前記物品情報管理記憶部は、遺失者が前記遺失管理サーバにアクセスするためのＵＲＬの記録を含むことを特徴とする。
【発明の効果】
【０００８】
遺失物に付されているタグから個体識別情報を取得することで、購入者の届出がない場合に第三者による発見を購入者に通知できない問題を解決すると同時に、特定できた購入者に連絡し、また、初回購入者から第三者に物品が譲渡された場合にも最新の所有者を特定し、連絡できるシステムを提供する。
【発明を実施するための最良の形態】
【０００９】
以下、本発明の実施の形態につき図面を参照しながら説明する。先ず図面について説明する。
図1は、本発明の遺失物検索及び連絡システムの全体構成を示すブロック図である。
図１中100は物品を販売する物品販売店舗に設置された販売情報端末、101は物品販売店舗においてインターネットに接続するための通信装置、102は表示モニタ等の表示装置、103はキーボード等の入力装置、104は物品販売店舗の販売履歴情報などを管理する販売情報管理記憶部（データベース）、105は通信装置101、表示装置102、入力装置103、販売情報管理記憶部104に関わる各処理を制御する制御装置である。
【００１０】
図１中110は遺失物管理センタに設置された遺失物情報管理サーバ、111は遺失物管理センタにおいてインターネットに接続するための通信装置、112は表示モニタ等の表示装置、113はタグに記憶された個体識別情報を読取るタグ読取装置、114は遺失物管理センタに保管されている拾得物情報を管理する物品情報管理記憶部（データベース）、115はデータベース書込用メモリ装置、116は問合せ受付用メモリ装置、117は通信装置111、表示装置112、タグ読取装置113、物品情報管理記憶部114、データベース書込用メモリ装置115、問合せ受付用メモリ装置116に関わる各処理を制御する制御装置。
【００１１】
図１中120は物品購入者（物品遺失者）のPC（パーソナルコンピュータ）、モバイル端末等の情報端末、121は購入者がインターネットに接続するための通信装置、122は電子データを保存しておくメモリ装置、123は表示モニタ等の表示装置、124は通信装置121、メモリ装置122、表示装置123に関わる各処理を制御する制御装置で、130はインターネットを示す。
【００１２】
図２は販売情報管理記憶部（データベース）１０４の記録フォーマットを示したものである。
図２中200は販売情報管理データベース１０４の記録フォーマット、201は販売日情報、202は販売店舗コード情報、203は販売物品名称情報、204は販売物品概観構造情報、205は購入者氏名情報、206は購入者の電子メールアドレス情報、207は数字から成る物品ＩＤ情報を示す。
【００１３】
図３は遺失物管理センタに保管されている遺失物情報を管理する物品情報管理記憶部（データベース）１１４の記録フォーマットを示すものである。
図３中300は物品情報管理データベースの記録フォーマット、301は物品ＩＤ情報、302は利用者照合用パスワード情報、303は購入日情報、304は購入店舗コード情報、305は物品名称情報、306は物品概観構造情報、307は購入者氏名情報、308は購入者のメールアドレス情報、309は遺失物拾得日情報、310は拾得後処理方法選択情報、311は処理完了日情報、312は遺失物管理サーバ１１０のアクセス用ＵＲＬ情報を示す。
【００１４】
図４は物品に付したタグ（例えばＩＣタグ）の概略図を示すもので、400はタグ、401は電子データとして記憶された物品ＩＤ情報が記録されるＩＣチップ、402はアンテナを示す。
図５は当該システム利用者である遺失者（購入者）が各自の情報端末１２０から遺失物管理サーバ１１０にアクセスするために必要な情報の記録フォーマットを示すものである。
図５中500は情報端末記録フォーマット、501は物品ＩＤ情報、502は物品ＩＤ情報501に対応する遺失物管理サーバアクセス用のURL（Uniform Resource Locator）情報、503は購入者が遺失物管理サーバにアクセスするためのパスワード情報を示す。
【００１５】
図６は本発明の遺失物検索及び連絡システムの処理フローを示したものである。
図中601は物品販売店舗で購入者の物品購入取引の発生を検出する物品購入取引発生検出処理ブロック、602は販売した物品の物品ＩＤ情報と当該物品に関する情報を物品販売店舗サーバから遺失物管理サーバへ送信して遺失物管理センタに登録申請を行う物品情報送信処理ブロック、603は遺失物管理センタで受信した物品に関するデータをデータベース書込用メモリ装置に書込み、一時的に記憶する受信データ書込処理ブロックである。
図６中604は受信した物品ＩＤのデータがデータベースに記憶されているか否かを判定し、初回登録か否かを判定する物品ＩＤ検出処理ブロック、605は物品情報管理データベースの当該物品ＩＤのレコードについて物品ＩＤデータ以外の登録データを更新する登録情報更新処理ブロック、606は前記受信データを遺失物管理サーバ１１０の物品情報管理データベースに新規に記録する受信情報記憶処理ブロック、607はデータベース書込用メモリ装置の記憶内容を消去するメモリ内容消去処理ブロック、608は当該物品ＩＤに対応する遺失物管理サーバアクセス用パスワードを生成するアクセス用データ生成処理ブロック、609は当該物品の物品ＩＤ情報データ、アクセス用パスワードデータを購入者のメールアドレスに送信するアクセス用データ送信処理ブロック、610は購入者が当該物品を遺失する物品遺失処理ブロックを示す。
図７は本発明の遺失物検索及び連絡システムの処理フローを示したものである。
【００１６】
図中701は拾得者が当該物品を遺失物管理センタに拾得物として届出る拾得物届出処理ブロック、702は拾得した物品を遺失物管理センタで受付け、物品のタグ情報をタグ読取装置113で読取るタグ情報読取処理ブロック、703は物品情報管理データベース内の当該物品ＩＤのレコードに関して遺失物拾得日309にシステム日付を書込みする拾得日情報書込処理ブロック、704は当該物品ＩＤをキーにして物品情報管理データベースから当該物品情報が記録されているレコードを検索するレコード検索処理ブロック、705は当該物品のレコードを特定ができたか否かを判定するレコード特定可否判定処理ブロック、706は当該レコードのメールアドレスを特定する購入者メールアドレス検出処理ブロックを示す。
【００１７】
図８は本発明を適用した遺失物検索連絡システムを実現するための処理フローを示したものである。
図８中801は購入者の情報端末からインターネット130を経由して遺失物管理サーバの遺失物拾得状況の問合せ用サーバにアクセスがあり、当該物品ＩＤの物品に関する問合せがあったか否か判定する問合せアクセス検知処理ブロック、802は前記アクセス利用者が入力した物品ＩＤとパスワードが正しいか照合し、購入者本人であることを確認する本人認証処理ブロック、803は物品情報管理データベースから当該物品ＩＤを検索する物品ＩＤ検索処理ブロック、804は該当物品ＩＤの有無を判定する物品ＩＤデータ検出処理ブロックを示す。
図８中805は当該物品の物品ＩＤフラグをONにする物品ＩＤフラグON処理ブロック、806は当該物品ＩＤについて遺失物拾得日情報があるか否か（拾得済みか否か）判定する遺失物拾得日データ検出処理ブロック、807は当該物品の拾得フラグをONにする拾得フラグＯＮ処理ブロック、808は拾得後処理を選択するためにサーバにアクセスするための専用ＵＲＬを生成し、遺失物情報管理データベースの当該のレコードＵＲＬ情報312に記憶する専用ＵＲＬ生成処理ブロック、809は遺失物管理センタにおいて定めた所定の管理保管対象期間内であるか否か判定する所定期間判定処理ブロック、810は所定期間フラグをＯＮにする所定期間フラグＯＮ処理ブロックを示す。
【００１８】
図９は本発明を適用した遺失物検索連絡システムを実現するための処理フローを示したものである。
図９中901は遺失物管理センタにおける当該物品の保管状況について、物品ＩＤフラグかつ拾得フラグがＯＮの場合、処理809で生成した専用ＵＲＬ付きメールを購入者のメールアドレスに送信して購入者に拾得済みの旨を通知し、拾得後処理方法の選択に関して問合せする、それ以外の場合は未拾得である旨のメールを購入者のメールアドレスに送信し、購入者に通知する専用ＵＲＬ送信処理ブロック、902は前記メールを受信した購入者がメールに添付された専用ＵＲＬにアクセスしたか否かを判定するアクセス検知判定処理ブロック、903はログイン画面を表示させ、購入者にログインするための物品ＩＤとパスワードを入力させて購入者本人か否かを判定させる本人認証判定処理ブロックを示す。
【００１９】
図９中904は購入者に処理方法を選択させる画面表示をする処理方法選択画面表示処理ブロック、905は選択画面において購入者が「物品引取」または「センタ委任（所有権放棄）」のいずれを選択したか判断する処理方法選択結果判定処理ブロック、906は所有権放棄後の処理をセンタに委任させることを購入者に確認させる画面の表示をする委任確認画面表示処理ブロック、907は前記確認画面において購入者が委任もしくは不委任のいずれかを選択したか判断する委任判断判定処理ブロック、908は当該物品ＩＤの該当レコードについての購入者に関する情報の消去をする購入者情報消去処理ブロック、909は物品再販店舗への物品輸送に関する処理を実行する物品輸送処理ブロック、910は購入者が遺失物の引取に関する処理を実行する購入者引取処理ブロックを示す。
【００２０】
図１０は遺失物検索システムにおける販売店舗での販売情報管理データベースの記録例を具体的に示したものである。
【００２１】
図１１は遺失物検索システムにおける物品情報管理データベースの記録例を具体的に示したものである。
図１１において、１レコード目は、２００４年１０月２日に遺失者（購入者）が、遺失物を引取るとの意思表示をして処理終了したことを示す。
２レコード目は、２００４年１０月４日に遺失者が、遺失物を引取るとの意思表示をして処理終了したことを示す。
３レコード目は、２００４年９月２２日に遺失物の遺失物情報管理サーバが検知し、遺失者にメールの送信をしたが、遺失者からのアクセスがない状態を示す。
４レコード目は、遺失者の遺失物に所有権放棄により、遺失物情報管理データベース１１４データを消去し、と当該物品の次回登録を待機している状態を示す。
５レコード目は、２００３年１０月８日の購入時に物品ＩＤを登録した状態を示す。
【００２２】
図１２は遺失物管理サーバ１１０のＵＲＬにアクセスした場合に遺失者情報端末１２０（購入者情報端末）の表示装置１２３に表示されるログイン画面の具体例を示したものである。
図１３は図１２のログイン画面からログインした場合に遺失者情報端末１２０（購入者情報端末）の表示装置１２３に表示される拾得物（遺失物）処理方法選択画面の具体例を的に示したものである。
【００２３】
次に図１〜１２を用いて、物品を転売した場合においても遺失物の所有者（遺失者）を特定できる確率を向上させ、特定した所有者に連絡する方法について説明する。
先ず、この遺失物検索及び連絡システムの前提として、当該システム利用対象の物品には物品固有の物品ID番号が記憶されたタグが付されている。以下、処理フローに基づいて、遺失物管理サーバを中核とする遺失物検索および連絡システムの処理を説明する。
図６において、物品販売店舗で、購入者が物品を購入する処理601が実行された後、受信データ書込処理ブロック603が実行され、当該物品に関する物品販売店舗の販売物品情報管理記憶部（データベース）104の販売管理情報[販売日情報201／販売店舗コード情報202／販売物品名称203／販売物品概観構造情報204／購入者氏名情報205／購入者メールアドレス情報206／物品ＩＤ情報207]を遺失物管理サーバ110のデータベース書込用メモリ装置115に送信する。
遺失物管理サーバ110で受信後、受信データ書込処理ブロック603が実行され、登録申請された物品に関する情報をデータベース書込用メモリ装置115に書込む。物品ＩＤ検出処理ブロック604により、当該物品ＩＤが物品情報管理データベース114内に記憶されている物品ＩＤのいずれかに該当しないか否かを判定する。
【００２４】
先ず、前記物品ＩＤが物品情報管理データベース内に既に存在している場合、すなわち物品ＩＤが初回登録でない場合は物品ＩＤ検出処理ブロック604により、「No」側、すなわち606の処理ブロックが実行され、物品情報管理データベースの当該物品ＩＤについてのレコードの購入日情報303、購入店舗コード情報304、購入者氏名情報307、購入者メールアドレス情報308の情報を更新し、遺失物拾得日情報309、拾得後処理方法選択情報310、処理完了日情報311の情報を初期化し、引き続き処理ブロック607によりメモリ装置115に書込まれている内容が消去される。
以降、処理608、609が実行され、物品情報管理データベース114の当該物品ＩＤの物品を遺失した場合、当該物品が保管されているか否かを購入者が遺失物管理サーバに問合せするためのサーバアクセス用ＵＲＬ情報312、当該物品ＩＤに対して購入者から前記URLにアクセスがあった場合の利用者本人照合用パスワード情報302を生成し、アクセス用データ[物品ＩＤ情報301／ＵＲＬ情報312／照合用パスワード情報302]を購入者メールアドレス308に送信する。
【００２５】
一方、前記物品ＩＤが物品情報管理データベース114内に存在していない場合、すなわち物品ＩＤが初回登録の場合は物品ＩＤ検出処理ブロック604により、「Yes」側、すなわち605の処理ブロックが実行され、当該物品の前記販売管理情報[販売日情報201／販売店舗コード情報202／販売物品名称203／販売物品概観構造情報204／購入者氏名情報205／購入者メールアドレス情報206／物品ＩＤ情報207]の内容が物品情報管理データベース114の遺失物情報[物品ＩＤ情報303／購入店舗コード情報304／物品名称情報305／物品外観構造情報306／購入者氏名情報307／購入者メールアドレス情報308／物品ＩＤ情報301]の順に対応して書込まれ、引き続き処理ブロック607、608、609により、前記物品ＩＤが物品情報管理データベース内に存在している場合と同様の処理が実行される。
その後、当該物品の購入者が前記物品を遺失しない場合、後続処理は実行されない。
【００２６】
一方、当該物品を遺失した場合、処理ブロック701以降が実行される。
処理ブロック701で当該物品を拾得したという第三者からの届出が遺失物管理センタにあったか検出する。
【００２７】
以下、届出があった場合となかった場合に分けて説明する。
先ず、ブロック701において届出があった場合は「Yes」側に分岐し、処理ブロック702により当該物品を遺失物管理センタで受取り、タグ400の読取受信用アンテナ部402をタグ読取装置113でスキャンしてタグに記憶されている物品ＩＤ情報401を読取る。引き続き処理ブロック702、703で当該物品の物品ＩＤを読取ると、遺失物拾得日情報310にシステム日付を書込み、処理704により読取済みの当該物品ＩＤをキーに物品情報管理データベースから当該レコードを検索する。
【００２８】
判定処理705により当該レコードを特定できなかった場合は、「No」側に分岐し、以降、従来の検索方法により処理が進むことを示している。一方、判定処理705により当該レコードを特定できた場合は、「Yes」側に分岐し、処理617により購入者メールアドレスを割出した後、処理901以降を実行する。
【００２９】
一方、ブロック701において届出がなかった場合、「No」側に分岐し、処理ブロック801により購入者から当該物品に対する保管状況の問合せがあったか否か検知する。先ず、問合せがなかった場合は「No」側に分岐し、処理701に戻る。一方、問合せがあった場合は「Yes」側に分岐し、処理802により購入者が入力した物品ＩＤとパスワードを物品情報管理データベースの当該物品ＩＤ301とその利用者本人照合用パスワード情報302に照合して当該の購入者本人であるか否か判定する。
【００３０】
照合できなかった場合は、「No」側に分岐し、処理801に戻る。一方、照合できた場合は、「Yes」側に分岐し、処理803、804により物品情報管理データベースから該当物品ＩＤの有無を検索し、物品ＩＤの有無を判定する。物品ＩＤがなかった場合は「No」側に分岐し、何もせず処理901に進む。一方、物品ＩＤがあった場合は「Yes」側に分岐し、処理805によりメモリ116上で物品ＩＤフラグをONにし、処理806により当該物品ＩＤのレコードの遺失物取得日情報が記憶されているか否か判定する。
【００３１】
遺失物取得日情報が既に記憶されている場合、「Yes」側に分岐し、処理807により、メモリ116上で拾得フラグをONにして、処理901以降を実行する。
【００３２】
一方、遺失物取得日情報が記憶されていない場合、「No」側に分岐し、処理808により処理当日が所定期間内か否かの判定を行い、所定期間内の場合は「Yes」側に分岐し、処理901以降を実行する。所定期間外の場合、「No」側に分岐して何もせずに、処理901以降を実行する。
処理901により、メールを購入者に送信して当該物品の保管有無を通知する。なお、メモリ上の物品ＩＤフラグ、拾得フラグ、所定期間フラグそれぞれのON／OFFの組合せによりメールの内容が異なり、物品ＩＤフラグ、拾得フラグがともにＯＮの場合は本人アクセス専用ＵＲＬも併せて送信する。
【００３３】
処理902により購入者が前記URLにアクセスしたかを検知し、検知していない場合は、「No」側に分岐し、処理901に戻る。一方、検知済みの場合は「Yes」側に分岐し、本人認証判定処理ブロック903を実行し、購入者が入力した物品ＩＤとパスワードを遺失物情報管理データベースの該当物品ＩＤとその照合用パスワードと照合し、購入者本人であるか否かを判定する。このとき、拾得フラグONパターンのURLでない場合は「No」側に分岐し、処理701に戻る。一方、拾得フラグONパターンのURLであった場合、「Yes」側に分岐し、処理904、905により購入者の情報端末120の表示装置123に遺失物引取処理方法を選択させる画面を表示させ、前記画面表示から購入者が［購入者引取］または［センタ委任（所有権放棄）］のいずれを選択したか検知・判定する。［購入者引取］の選択を検知した場合、「No」側に分岐し、従来の遺失物引取処理に関する処理が実行され、処理を終了する。一方、［センタ委任］の選択を検知した場合は、「Yes」側に分岐し、処理906、907により購入者の情報端末120の表示装置123に所有権放棄後の処理については遺失物管理センタに委任するか否かを選択させる画面を表示させ、委任OK／NGのいずれを選択したか検知・判定する。
【００３４】
「委任しない」を検知した場合は、「No」側に分岐し、処理910を実行して処理を終了する。一方、「委任する」を検知した場合は、「Yes」側に分岐し、物品情報管理データベース114の当該物品ＩＤに該当するレコード情報の一部（利用者照合用パスワード情報302、購入日情報303、購入店舗コード情報304、購入者氏名情報307、購入者のメールアドレス情報308、遺失物拾得日情報309、拾得後処理方法選択情報310、処理完了日情報311、遺失物管理サーバ１１０のアクセス用ＵＲＬ情報312）を消去し、転売する物品販売店舗への物品輸送手続きもしくは廃棄処分手続き処理を実行し、処理601に戻る。
【図面の簡単な説明】
【００３５】
【図１】本発明の一実施例における遺失物検索及び連絡システムの全体構成を示す図
【図２】販売情報管理記憶部の記録フォーマットを説明する図
【図３】物品情報管理記憶部の記録フォーマットを説明する図
【図４】物品に付するタグの構成を示す概略図
【図５】遺失物情報管理サーバにアクセスするための情報の記録フォーマットを説明する図
【図６】本発明の物品ＩＤ登録に関する処理フローを説明する図
【図７】本発明の遺失物を拾得したときの処理フローを説明する図
【図８】本発明の遺失者の問い合わせに関する処理フローを説明する図
【図９】本発明の購入者（遺失者）への連絡に関する処理フローを説明する図
【図１０】販売情報管理記憶部のデータベースの記録具体例の図
【図１１】物品情報管理記憶部のデータベースの記録具体例の図
【図１２】遺失者情報端末の表示装置に表示されるログイン画面
【図１３】遺失者情報端末の表示装置に表示される拾得物処理方法選択画面
【符号の説明】
【００３６】
100  販売情報端末、101  通信装置、102  表示装置、103  入力装置、
104  販売情報管理記憶部、105  制御装置、110  遺失物情報管理サーバ、
111  通信装置、112  表示装置、113  タグ読取装置、114  品情報管理記憶部、
115  データベース書込用メモリ装置、116  問合せ受付用メモリ装置、
117  制御装置、120  遺失者情報端末、121  通信装置、122  メモリ装置、
123  表示装置、124  制御装置、130  インターネット、
200  販売情報管理記憶部の記録フォーマット、201：販売日情報、
202  販売店舗コード情報、203  販売物品名称情報、204  販売物品概観構造情報、
205  購入者氏名情報、206  購入者メールアドレス情報、207  物品ＩＤ情報、
300  物品情報管理記憶部の記録フォーマット、301  物品ＩＤ情報、
302  利用者照合用パスワード情報、303  購入日情報、304  購入店舗コード情報、
305  物品名称情報、306  物品概観構造情報、307  購入者氏名情報、
308  購入者メールアドレス情報、309  遺失物拾得日情報、  
310  拾得後処理方法選択情報、311  処理完了日情報、  
312  サーバアクセス用ＵＲＬ情報、400  タグ、401  ＩＣチップ
402  アンテナ部、500  情報端末記録フォーマット、501  物品ＩＤ情報、
502  遺失物情報管理サーバアクセス用URL情報、
503  遺失物情報管理サーバアクセス用パスワード情報、
601  物品購入取引発生検出処理ブロック、602  物品情報送信処理ブロック、
603  受信データ書込処理ブロック、604  物品ＩＤ検出処理ブロック、
605  登録情報更新処理ブロック、606  受信情報記憶処理ブロック、
607  メモリ内容消去処理ブロック、608  アクセス用データ生成処理ブロック、
609  アクセス用データ送信処理ブロック、610  物品遺失処理ブロック、
701  拾得物（遺失物）届出処理ブロック、702  タグ情報読取処理ブロック、
703  拾得日情報書込処理ブロック、704  レコード検索処理ブロック、
705  レコード特定可否判定処理ブロック、
706  購入者（遺失者）メールアドレス検出処理ブロック、
801  問合せアクセス検知処理ブロック、802  本人認証処理ブロック、
803  物品ＩＤ検索処理ブロック、804  物品ＩＤデータ検出処理ブロック、
805  物品ＩＤフラグON処理ブロック、806  遺失物拾得日データ検出処理ブロック、
807  拾得フラグＯＮ処理ブロック、808  専用ＵＲＬ生成処理ブロック、
809  所定期間判定処理ブロック、810  所定期間フラグＯＮ処理ブロック、
901  専用ＵＲＬ送信処理ブロック、902  アクセス検知判定処理ブロック、
903  本人認証判定処理ブロック  904  処理方法選択画面表示処理ブロック、
905  処理方法選択結果判定処理ブロック、906  委任確認画面表示処理ブロック、
907  委任判断判定処理ブロック、908  購入者情報消去処理ブロック、
909  物品輸送処理ブロック、910  購入者引取処理ブロック
【図１】
2006154977.tif 000003
【図２】
2006154977.tif 000004
【図３】
2006154977.tif 000005
【図４】
2006154977.tif 000006
【図５】
2006154977.tif 000007
【図６】
2006154977.tif 000008
【図７】
2006154977.tif 000009
【図８】
2006154977.tif 000010
【図９】
2006154977.tif 000011
【図１０】
2006154977.tif 000012
【図１１】
2006154977.tif 000013
【図１２】
2006154977.tif 000014
【図１３】
2006154977.tif 000015